(57)【要約】      （修正有）【課題】枠片の生産性および現場での施工性を向上することができるものを提供する。【解決手段】壁に設けた貫通孔に取り付けられるように枠状に組立てられる形状で、４個づつの同一形状の薄肉の角部品１と板部品２とで構成し、前記角部品１と前記板部品２は２つの中心平面に対してそれぞれが対称形とし、前記角部品１と前記板部品２に嵌合穴６と嵌合突部８とを設け、前記角部品１と前記板部品２とを接合し取付枠として組み立て前記板部品２に換気扇を固定するネジボス１４を設けたという構成にしたことにより、薄肉の角部品１と板部品２とを挿入接合して取付枠として組み立て換気扇を板部品２のネジボス１４に合わせてネジで取付枠に固定することとなり、枠片の生産性および現場での施工性を向上することができる換気扇用取付枠が得られる。【選択図】図１
2016223753.tif 000002
【特許請求の範囲】
【請求項１】
壁に設けた貫通孔に取り付けられるように枠状に組立てられる形状で、４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て前記板部品に換気扇を固定するネジボスを設けたことを特徴とする換気扇用取付枠。
【請求項２】
前記角部品は成形性および形状維持に優れた合成樹脂とし、前記板部品は耐疲労性が高い結晶性樹脂としたことを特徴とする請求項１に記載の換気扇用取付枠。
【請求項３】
前記角部品は嵌合穴を有した筒形状とし、前記板部品は嵌合突部を有し、前記角部品の筒形状へ前記板部品の嵌合突部を挿入して前記嵌合穴と前記嵌合突部とを嵌合させて固定することを特徴とした請求項１または２に記載の換気扇用取付枠。
【請求項４】
両端に前記角部品を有した前記板部品としての一対の枠部品組との間に、残り一対の前記板部品を並列に配置することを特徴とする請求項１に記載の換気扇用取付枠。
【発明の詳細な説明】
【技術分野】
【０００１】
本発明は、壁に設けた貫通孔に換気扇を取り付ける時に使用する換気扇用取付枠に関するものである。
【背景技術】
【０００２】
従来、この種の換気扇用取付枠は、壁に設けた貫通孔に取り付けられるように枠状に組み立てられる形状で再生木片チップと合成樹脂との混合形成物、あるいは可塑性低発泡材料で形成された複数の枠片を備えて接合されたものが知られている（例えば、特許文献１参照）。
【０００３】
以下、その換気扇用取付枠について図５および図６を参照しながら説明する。
【０００４】
図５および図６に示すように、板状で端部に蟻溝１０１を形成し、外面に重量を軽減する複数の凹部１０２を設け、凹部１０２に対向しない位置の内面にねじ止めあるいは釘打ちが可能な半抜き穴１０３を設けた１対の第１の枠片１０４ａと、第１の枠片１０４ａに設けた蟻溝１０１に係合する断面が台形状の突部１０５を端部に設けた１対の第２の枠片１０４ｂとにより枠片１０４を形成し、第１の枠片１０４ａの端部に設けた蟻溝１０１と第２の枠片１０４ｂの端部に設けた突部１０５により接合手段１０６を形成し、接合手段１０６により枠片１０４を枠状に接合し、取付枠１０７を形成する。さらに、枠片１０４の室外側の屋外フード取付側に屋外フードを取り付けるボルト等よりなる屋外フード取付手段１０８をインサート成形する。また、枠片１０４の室内側の換気扇取付側に絶縁機能をもったフランジ１０９を組み合わせ形成する４分割されたフランジ片１０９ａを一体的に成形するとともに、換気扇を取り付けるボルト等よりなる換気扇取付手段１１０をインサート成形する。
【先行技術文献】
【特許文献】
【０００５】
【特許文献１】特開２００１−２２７７８５号公報
【発明の概要】
【発明が解決しようとする課題】
【０００６】
このような従来の換気扇用取付枠においては、再生木片チップや可塑性低発泡材料を使用して従来の木片の代替部品とすることを目的とした設計のため厚肉の樹脂成形部品となり枠片の生産性があまり良くない。また、枠片１０４の強度は高く枠片１０４同士を接合する際に硬いため接合し難く現場で工具等を使用することになり施工性があまり良くない。以上の課題を有していた。
【０００７】
そこで本発明は、上記従来の課題を解決するものであり、枠片の生産性および現場での施工性を向上することができる換気扇用取付枠を提供することを目的とする。
【課題を解決するための手段】
【０００８】
そして、この目的を達成するために、本発明は、壁に設けた貫通孔に取り付けられるように枠状に組立てられる形状で、４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て前記板部品に換気扇を固定するネジボスを設けたこととしたものであり、これにより所期の目的を達成するものである。
【発明の効果】
【０００９】
本発明によれば、壁に設けた貫通孔に取り付けられるように枠状に組立てられる形状で、４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て前記板部品に換気扇を固定するネジボスを設けた、という構成にしたことにより、薄肉の角部品と板部品とを挿入接合して取付枠として組み立て換気扇を板部品のネジボスに合わせてネジで取付枠に固定することとなるので、枠片の生産性および現場での施工性を向上することができる、という効果を得ることができる。
【図面の簡単な説明】
【００１０】
【図１】本発明の実施の形態１の換気扇用取付枠の構成を示す分解斜視図
【図２】同換気扇用取付枠の角部品を示す斜視図
【図３】同換気扇用取付枠の板部品を示す斜視図
【図４】同換気扇用取付枠の梱包時の収納形態を示す斜視図
【図５】従来の換気扇用取付枠の構成を示す斜視図
【図６】同換気扇用取付枠の接合手段の構成を示す分解斜視図
【発明を実施するための形態】
【００１１】
本発明の請求項１記載の換気扇用取付枠は、壁に設けた貫通孔に取り付けられるように枠状に組立てられる形状で、４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て前記板部品に換気扇を固定するネジボスを設けた、という構成を有する。これにより、薄肉の角部品と板部品とを挿入接合して取付枠として組み立て換気扇を板部品のネジボスに合わせてネジで取付枠に固定することとなるので、枠片の生産性および現場での施工性を向上することができる、という効果を奏する。
【００１２】
また、前記角部品は成形性および形状維持に優れた合成樹脂とし、前記板部品は耐疲労性が高い結晶性樹脂とした、という構成にしてもよい。これにより、４角に成形性および形状維持に優れた角部品を配置し、角部品同士の間に耐疲労性が高い結晶性樹脂の板部品を配置して取付枠を組立てることとなるので、安定した生産性である組立ができ耐久性をも向上することができる、という効果を奏する。
【００１３】
また、前記角部品は嵌合穴を有した筒形状とし、前記板部品は嵌合突部を有し、前記角部品の筒形状へ前記板部品の嵌合突部を挿入して前記嵌合穴と前記嵌合突部とを嵌合させて固定する、という構成にしてもよい。これにより、角部品の嵌合穴に板部品の嵌合突部を挿入して方向性を気にすることなく一義的に組み立てることとなるので、現場での施工性をより向上することができる、という効果を奏する。
【００１４】
また、両端に前記角部品を有した前記板部品としての一対の枠部品組との間に、残り一対の前記板部品を並列に配置する、という構成にしてもよい。これにより、両端に角部品を有した板部品としての一対の枠部品組との間に残り一対の板部品を並列に配置することとなるので、枠片の生産性および現場での施工性を向上することができるとともに、梱包の大きさの小さくして枠片の運搬の合理化を図ることができる、という効果を奏する。
【００１５】
以下、本発明の実施の形態について図面を参照しながら説明する。
【００１６】
（実施の形態１）
図１に示すように、換気扇用取付枠は４個づつのそれぞれ同一形状の薄肉の角部品１と板部品２とで構成している。
【００１７】
これら角部品１と板部品２との２種類を方形の枠状に組み立てる。
【００１８】
そして、壁（図示せず）に設けた方形状の貫通孔（図示せず）に取り付けて固定する。
【００１９】
そして、前記枠状は、換気扇（図示せず）を固定するための換気扇用取付枠として施工される。
【００２０】
図２および図３に示すように、角部品１と板部品２とはそれぞれ垂直に交わる２つの中心平面３ａ、３ｂと４ａ、４ｂとを有する。
【００２１】
そして、２つの中心平面に対して対称形に形成されている。
【００２２】
そして、角部品１の２つの中心平面は中心平面３ａ、中心平面３ｂとし、板部品２の２つの中心平面は中心平面４ａ、中心平面４ｂとなる。
【００２３】
また、角部品１は内部が空洞の方形の筒形状５を形成している。
【００２４】
そして、壁に対面する２つの側面側には例えば方形状の嵌合穴６を設ける。
【００２５】
そして、嵌合穴６は角部品１の壁に対面する平面に対して一段内側に凹ませた内側面７に設けられている。
【００２６】
次に、板部品２の構成について説明する。
【００２７】
板部品２は両端に嵌合突部８を有する。
【００２８】
そして、角部品１の筒形状５の内寸に係合するように挿入代９が設けられている。
【００２９】
なお、挿入代９には挿入代９に対して突出する１ミリ以下の複数の嵌合調整リブ１０が設けられておる。
【００３０】
そして、板部品２を角部品１に挿入して嵌合させる際、角部品１の嵌合穴６と板部品２の嵌合突部８が嵌合して固定される。
【００３１】
角部品１と板部品２の部品同士のがたつきに対して嵌合調整リブ１０を設けて、出来栄えを確認しながら金型を修正して嵌合調整リブ１０の突出する高さを調整して、角部品１と板部品２との隙間に嵌合調整リブ１０を埋めることで容易にがたつきを抑えることができる。
【００３２】
また、嵌合穴６は角部品１の壁に面する平面に対して一段内側に凹ませた内側面７に設けられているため、角部品１と板部品２である部品を嵌合させた後も嵌合突部８の高さが凹ませた深さよりも低いので換気扇用取付枠の外郭面に突出することはない。
【００３３】
板部品２は、約２ｍｍの均一な厚みで形成されており、壁に面する側面１１側は肉盗みをする。
【００３４】
そして、板部品２の側面１１側の肉盗み部分に設けたリブである補強リブ１２により、板部品２の変形に対する剛性を向上させている。
【００３５】
また、板部品２の中心部に壁に取り付けるネジを通す壁面用ネジ穴１３を設けている。
【００３６】
また、板部品２には、換気扇のフランジ（図示せず）を固定するためのネジボス１４を換気扇のフランジのネジ穴に合わせて複数個設けている。
【００３７】
このような構成にすることにより、換気扇を換気扇用取付枠を施工する際、角部品１と板部品２である部品同士を嵌合させて換気扇用取付枠を構成し、壁の貫通孔に挿入して室内面（図示せず）と換気扇用取付枠の室内面とを面一に合わせる。
【００３８】
そして、４箇所の壁面用ネジ穴１３を壁にネジで固定する。
【００３９】
なお、壁材によってはあらかじめアンカープラグを埋め込んでおき、アンカープラグに壁面用ネジ穴１３を介してネジを締め付けることにより固定する。
【００４０】
そして、その後、室内側から貫通孔と換気扇用取付枠の隙間にコーキング材を注入してシールすることにより、壁面と換気扇用取付枠との間の気密性や水密性を高めることができる。
【００４１】
そして、換気扇を換気扇用取付枠に挿入し、換気扇のフランジに設けたネジ穴（図示せず）を介して板部品２に設けたネジボス１４にネジで固定することにより、換気扇を換気扇用取付枠に固定する。
【００４２】
上記構成により、薄肉で材料の使用量が少なく、成形時間も少ない角部品１と板部品２とを工具を用いることなくお互い挿入接合して、がたつきのない換気扇用取付枠として組み立てることができる。
【００４３】
そして、換気扇を板部品２のネジボス１４に合わせてネジで固定することとなるため、角部品１と板部品２である枠片の生産性および現場での施工性を向上させることができる。
【００４４】
また、角部品１の嵌合穴６に板部品２の嵌合突部８を挿入する際、方向性を気にすることなく一義的に組み立てることができるため、組立間違いがなく確実な組み立てができ、現場での施工性をより向上することができる。
【００４５】
なお、角部品１は例えばＡＢＳ樹脂などの成形性および形状維持に優れた合成樹脂にて形成し、板部品２は例えばＰＰ樹脂などの耐疲労性が高い結晶性樹脂にて形成している。
【００４６】
これにより、換気扇用取付枠の４角に成形性および形状維持に優れた角部品１を配置することとなるため寸法精度の高い仕上がりができ、組み立て後の形状も安定し、また、壁面用ネジ穴１３や換気扇を固定するネジボス１４を有した板部品２は応力集中やストレスクラックによる破損などの懸念があるが、耐疲労性が高い結晶性樹脂を使用することとなるため、安定した生産性である組み立てができ、耐久性をも向上することができる。
【００４７】
さらに、換気扇のサイズに合わせて換気扇用取付枠の大きさを変える必要のあるときには、板部品２の長手方向の寸法を変更することにより対応が可能となる。
【００４８】
そのため、角部品１は共用ができ、金型コストの低減や部品の共用化による合理化効果を得ることができる。
【００４９】
図４には、換気扇用取付枠の梱包時の収納形態を示す。
【００５０】
まず、板部品２の両端に角部品１を取り付けて構成した枠部品組１５を２組形成し、図４のように向かい合わせにずらして１対の枠部品組１５を並べる。
【００５１】
そして、枠部品組１５同士を並べてできた中央開口１６に残り１対の板部品２を並列に配置する。
【００５２】
このような構成により、換気扇用取付枠として組み立てられた状態に対し、梱包の大きさを小さくすることができる。
【００５３】
また、角部品１と板部品２とである各部品を１個づつ並べて梱包したものに対して、運搬時にばらばらになり難く、施工時の組み立て工数も削減することができる。
【００５４】
つまり、枠片の組み立て性が良いため生産性が良く、現場での施工性を向上させることが出来るとともに、梱包の大きさを小さくして枠片の運搬の合理化を図ることができる。
【産業上の利用可能性】
【００５５】
本発明にかかる換気扇用取付枠は、枠片の生産性および現場での施工性を向上させることを可能とするものであるので、室内と室外を連通させる貫通孔などに施工して使用される取付枠等として有用である。
【符号の説明】
【００５６】
１    角部品
２    板部品
５    筒形状
６    嵌合穴
８    嵌合突部
１４  ネジボス
１５  枠部品組
【図１】
2016223753.tif 000003
【図２】
2016223753.tif 000004
【図３】
2016223753.tif 000005
【図４】
2016223753.tif 000006
【図５】
2016223753.tif 000007
【図６】
2016223753.tif 000008